(57)【特許請求の範囲】
【請求項１】
複数のパスが多重化された現用系伝送路および予備系伝送路を介して互いに接続され、定常時には、前記現用系伝送路の任意のパスを介してそれぞれ伝送される主トラフィックと異なる副トラフィックを、前記予備系伝送路の任意のパスを介してそれぞれ伝送する複数の伝送装置を備えた伝送システムにおいて、
前記伝送装置は、
必要に応じて、前記現用系伝送路パスの主トラフィックを前記予備系伝送路側の対応するパスにそれぞれ迂回させる切替手段と、
この切替手段による前記主トラフィックの迂回処理に先立ち、主トラフィックの迂回先となるパスにおける副トラフィックの有無に対応付けて、互いに異なる第１または第２の固定信号を前記予備系伝送路側のパスのドロップ側にそれぞれ挿入する固定信号挿入手段を具備することを特徴とする伝送システム。
【請求項２】
前記固定信号挿入手段は、
副トラフィックが有る予備系伝送路パスのドロップ側にＡＵ−ＡＩＳ（Administrative Unit-Alarm Indication Signal）を、副トラフィックが無い予備系伝送路パスのドロップ側にＵＮＥＱ（Unequipped）をそれぞれ挿入することを特徴とする請求項１に記載の伝送システム。
【請求項３】
複数のパスが多重化された現用系伝送路および予備系伝送路を介して互いに接続され、定常時には、前記現用系伝送路の任意のパスを介してそれぞれ伝送される主トラフィックと異なる副トラフィックを、前記予備系伝送路の任意のパスを介してそれぞれ伝送する複数の伝送装置を備えた伝送システムで、必要に応じて前記現用系伝送路パスの主トラフィックを前記予備系伝送路側の対応するパスにそれぞれ迂回させる際のトラフィック制御方式において、
前記現用系伝送路パスの主トラフィックを前記予備系伝送路側の対応するパスにそれぞれ迂回させる前に、主トラフィックの迂回先となるパスにおける副トラフィックの有無に対応付けて、互いに異なる固定信号を前記予備系伝送路パスのドロップ側にそれぞれ挿入することを特徴とするトラフィック制御方式。
【請求項４】
副トラフィックが有る予備系伝送路パスのドロップ側にＡＵ−ＡＩＳ（Administrative Unit-Alarm Indication Signal）を、副トラフィックが無い予備系伝送路パスのドロップ側にＵＮＥＱ（Unequipped）をそれぞれ挿入することを特徴とする請求項３に記載のトラフィック制御方式。
【請求項５】
複数のパスが多重化された現用系伝送路および予備系伝送路を介して互いに接続され、定常時には、前記現用系伝送路の任意のパスを介してそれぞれ伝送される主トラフィックと異なる副トラフィックを、前記予備系伝送路の任意のパスを介してそれぞれ伝送する伝送装置において、
必要に応じて、前記現用系伝送路パスの主トラフィックを前記予備系伝送路の対応するパスにそれぞれ迂回させる切替手段と、
この切替手段による前記主トラフィックの迂回処理に先立ち、主トラフィックの迂回先となるパスにおける副トラフィックの有無に対応付けて、互いに異なる固定信号を前記予備系伝送路パスのドロップ側にそれぞれ挿入する固定信号挿入手段を具備することを特徴とする伝送装置。
【請求項６】
前記固定信号挿入手段は、
副トラフィックが有る予備系伝送路パスのドロップ側にＡＵ−ＡＩＳ（Administrative Unit-Alarm Indication Signal）を、副トラフィックが無い予備系伝送路パスのドロップ側にＵＮＥＱ（Unequipped）をそれぞれ挿入することを特徴とする請求項５に記載の伝送装置。
【発明の詳細な説明】
【０００１】
【発明の属する技術分野】
本発明は、例えばＳＤＨ（Synchronous Digital Hierarchy）またはＳＯＮＥＴ（Synchronous Optical Network）などに準拠する伝送システムとその伝送装置に関し、特に冗長切替方式の改良に関する。
【０００２】
【従来の技術】
近年の多様化する通信システムに対して、各種の高速サービスや既存の低速サービスを統一的に多重化するための規格、すなわちＳＯＮＥＴ／ＳＤＨが標準化されている。ＳＤＨは米国ではＳＯＮＥＴと称され、両者は１５５．５２Ｍｂｐｓ以降のステージでは相互接続が可能である。
【０００３】
ＳＯＮＥＴ／ＳＤＨ伝送路は、通信事業者がサービスするあらゆるトラフィックを運んでおり、このネットワークが止まることは許されない。そこでＳＯＮＥＴ／ＳＤＨ伝送システムでは、伝送路や装置内インタフェース機器などに現用系および予備系を備えた二重化構成を採用して信頼性を高めるようにしている。また近年では、無障害時に空きとなる予備系伝送路パスを利用してパートタイムトラフィック（以下煩雑を避けるため、Ｐ／Ｔトラフィックと記載する）と呼ばれる信号を収容し、回線の収容効率を高めるようにしたシステムが提案されている。なおＰ／Ｔトラフィックとは、勧告上はExtra Trafficと記載されたトラフィックに相当するもので、障害発生の際にはやむ終えず切断されても構わないものとして取り扱われる。
【０００４】
この種のシステムにおける障害発生時の現用／予備切り替え機能は、ＳＤＨにおいてはＡＰＳ（Automatic Protection Switching）と称され、その詳細はＩＴＵ−Ｔ勧告Ｇ．８４１（最新１０／９８版）に規定されている。障害が発生すると各ノードは上記勧告に従い、ＳＤＨ伝送フレームのオーバーヘッドに定義されたＫ１・Ｋ２バイト（以下Ｋバイトと称する）の書き換えおよび授受を行って、自律的に冗長切り替えを実行する。
【０００５】
ところで、障害発生の際には、サービストラフィックを現用系伝送路側パスから対応する予備系伝送路側パスに迂回させることにより上記サービストラフィックを救済するが、その際、サービストラフィックの誤接続（いわゆるミスコネクト）を避ける必要がある。もしミスコネクトを生じると、予期せぬ相手先にサービストラフィックが漏洩する虞が有り、セキュリティなどの観点から極めて好ましくない事態を生じるからである。
【０００６】
このため上記ＩＴＵ−Ｔ勧告Ｇ．８４１においては、サービストラフィックの予備系伝送路への迂回に先立ち、Ｐ／Ｔトラフィックの存在するパスに関してはＡＵ−ＡＩＳ（Administrative Unit-Alarm Indication Signal）と呼ばれる固定信号を強制的に挿入することにより、Ｐ／Ｔトラフィックを切断する旨が規定されている。Ｐ／Ｔトラフィックを切断した上でサービストラフィックの迂回処理を行うことにより、少なくともＰ／Ｔトラフィックの伝送先に関してはサービストラフィックの漏洩を防ぐことができる。
【０００７】
ところが、上記勧告には、Ｐ／Ｔトラフィックの存在しない予備系伝送路に関する規定が無い。すなわち、冗長切り替えの際にＰ／Ｔトラフィックの存在しないパスに関して、何らの処理も行わないことが許されている。
【０００８】
しかしながら、だからといってＰ／Ｔトラフィックの存在しない予備系伝送路にそのままサービストラフィックを迂回させると、これもサービストラフィックの漏洩を引き起こす虞の有ることが発明者によって指摘されている。
【０００９】
図９〜図１２を参照して、このことを詳しく説明する。今、リング状接続された４ファイバＳＤＨ伝送システム内に複数の伝送装置（ノード）Ｃ〜Ｅが存在し、各ノード間に図のようなパスが設定されているとする。凡例では、サービストラフィックを伝送しているパスを細線で、Ｐ／Ｔトラフィックを伝送しているパスを太線で、Ｐ／Ｔトラフィックの無いパスを点線で示す。すなわち全ての現用系伝送路にサービストラフィックが設定されると共に、予備系伝送路に関してはノードＣ〜ＤにＰ／Ｔトラフィックが設定されているとする。
【００１０】
図９の定常状態からノードＣ〜Ｄ間の現用系伝送路に障害が発生すると、図１０に示すごとく、ＩＴＵ−Ｔ勧告Ｇ．８４１に従ってまずパスの低次群側にＡＵ−ＡＩＳが挿入されてＰ／Ｔトラフィックの切断ののち、サービストラフィックが迂回されてレストレーションに至る。
【００１１】
しかしながら、図９からノードＤ〜Ｅ間の現用系伝送路に障害が発生した場合、この区間の予備系伝送路にはＰ／Ｔトラフィックが設定されていないため、格別の処理のなされないままサービストラフィックの迂回処理がなされる。このため図１１に示すように、ノードＥにて挿入されたサービストラフィックがノードＤに伝達されるまでに、ノードＤ，Ｅの予備系側に漏洩してしまうことになる。
【００１２】
さらに同じ区間の現用系および予備系伝送路に障害が発生した場合には、事態はより深刻なものとなる。すなわち図１２に示すように、ノードＤ〜Ｅ間の現用系および予備系伝送路に障害が発生すると、ノードＤにて挿入されたサービストラフィックが定常時と逆方向を辿ってノードＥに至るまでに、ノードＤ自身、ノードＣ、ノードＥなる全てのノードの予備系側に漏洩してしまうことになる。
【００１３】
【発明が解決しようとする課題】
以上述べたように従来の伝送システムにおけるトラフィック制御方式では、冗長切り替えの際にＰ／Ｔトラフィックの存在しないパスに関して何らの処理も行わないことが許されているために、サービストラフィックのミスコネクトの虞が有った。
【００１４】
本発明は上記事情によりなされたもので、その目的は、冗長切り替えの際にミスコネクトの発生を防止し、サービストラフィックの漏洩の虞を無くした伝送システムとそのトラフィック制御方式および伝送装置を提供することにある。
【００１５】
【課題を解決するための手段】
上記目的を達成するために本発明は、複数のパスが多重化された現用系伝送路および予備系伝送路を介して互いに接続され、定常時には、前記現用系伝送路の任意のパスを介してそれぞれ伝送される主トラフィックと異なる副トラフィックを、前記予備系伝送路の任意のパスを介してそれぞれ伝送する伝送装置、または当該伝送装置を備えた伝送システム、あるいは当該伝送システムにおけるトラフィック制御方式にあって、
例えば障害の発生に対して主トラフィックを救済するためなどの必要に応じて、前記現用系伝送路パスの主トラフィックを前記予備系伝送路の対応するパスにそれぞれ迂回させる際に、この迂回処理に先立ち、主トラフィックの迂回先となるパスにおける副トラフィックの有無に対応付けて例えばＡＵ−ＡＩＳまたはＵＮＥＱなどの互いに異なる固定信号を前記予備系伝送路パスのドロップ側にそれぞれ挿入するようにしたものである。
【００１６】
このような手段を講じることにより、ミスコネクトとなるパスの接続パターンが主トラフィック迂回処理の際に生じても、伝送装置のドロップ側すなわち低次群側への信号出口において、主トラフィックに載せられた情報が固定信号のビットパターンに書き換えられることになる。すなわち、低次群側に達した信号からは主トラフィックの運んでいた情報がもはや失われており、その結果、ミスコネクトを防止することができるようになり、サービストラフィックの漏洩の虞を無くすことが可能となる。
【００１７】
また本発明では、挿入する固定信号を副トラフィックの有無に応じて異ならせるようにしているので、低次群側に接続された多重化装置などの通信装置はトラフィックの上流側で生じた事態を容易に区別できる。特にＳＤＨにおいては、ＡＵ−ＡＩＳは障害の検出の旨を示すことが多いので、これとそうでない状態とを区別できることは重要である。
【００１８】
なお、本発明は冗長切り替えの際の処理手順に新たなステップを加えようとするものであり、その意味で本発明は伝送システムにおける新たな規定を提案するものである。
【００１９】
【発明の実施の形態】
以下、図面を参照して本発明の実施の形態を詳細に説明する。ここではＳＴＭに則して説明するが、ＳＯＮＥＴに関してもほぼ同様である。なお本明細書中、サービストラフィック、Ｐ／Ｔトラフィックなる語はそれぞれ特許請求の範囲で述べた主トラフィック、副トラフィックに相当する。
【００２０】
図１に、本発明の実施の形態に係わる伝送システムの構成を示す。このシステムは複数のノード（Ｎｏｄｅ：伝送装置）Ａ〜Ｆを、ＳＴＭ−１６などの高速同期多重化回線としてなる高速回線ＯＦを介してリング状に接続したものである。高速回線ＯＦは、それぞれ時計回り（Clockwise ：ＣＷ）回線および反時計回り（Counter Clockwise ：ＣＣＷ）回線からなる現用系伝送路ＳＬ（Service Line：実線）、および予備系伝送路ＰＬ（Protection Line：点線）を備えた二重化構成となっている。このような構成は、いわゆる４ファイバリングシステムと称される。
【００２１】
図１において、現用系伝送路ＳＬおよび予備系伝送路ＰＬにはそれぞれ複数のパスが時分割多重されている。各ノードＡ〜Ｆは両伝送路ＳＬ，ＰＬに張られた任意のパスを取り出して低次群側の多重化装置（符号付さず）などにドロップすると共に、低次群側からのパスを両伝送路ＳＬ，ＰＬにアッドする。
【００２２】
システムに障害の無い状態では、サービストラフィックは現用系伝送路を介して伝送され予備系伝送路ＰＬが空きとなるので、これを利用して予備系伝送路ＰＬの任意のパスを介してＰ／Ｔトラフィックが伝送される。サービストラフィックの予備系伝送路ＰＬへの迂回処理の際には、迂回先パスに有ったＰ／Ｔトラフィックは切断される。
【００２３】
ここで、現用系伝送路ＳＬのどのパスにサービストラフィックを設定するか、予備系伝送路ＰＬのどのパスにＰ／Ｔトラフィックを設定するかは任意である。また通常の場合、サービスパス（サービストラフィックの伝送されるパス）の迂回先は予備系伝送路ＰＬ上の同じタイムスロット位置に設定される。このため予備系伝送路ＰＬには、サービストラフィックの迂回の際にＰ／Ｔトラフィックが既に有るパスと、サービストラフィックの迂回の際にＰ／Ｔトラフィックが無いパスとが混在することになる。
【００２４】
図２に、本実施形態に係わる伝送装置Ａ〜Ｆの構成を示す。すなわち伝送装置Ａ〜ＦはサービスラインＳＬを終端する現用系高速インタフェース部（ＨＳ  Ｉ／Ｆ）１−０と、プロテクションラインＰＬを終端する予備系高速インタフェース部１−１を備える。現用系高速インタフェース部１−０および予備系高速インタフェース部１−１を介して装置内部に引き込まれたＳＴＭ−１６信号は、タイムスロット交換部（ＴＳＡ：Time Slot Assignment）２−０に与えられる。タイムスロット交換部２−０は、上記与えられたＳＴＭ−１６信号に時分割多重されたタイムスロットのうち所定のタイムスロットをドロップして低速インタフェース部（ＬＳ  Ｉ／Ｆ）３−１〜３−ｋに与える。
【００２５】
逆に、低速インタフェース部３−１〜３−ｋからの低次群信号はタイムスロット交換部２−０に与えられ、ＳＴＭ−１６フレームの所定のタイムスロットにアッドされて高速回線ＯＦを介して送出される。このようにして、各ノード間に任意のパスが設定される。上記システムにおける低次群信号の多重化レベルはＳＴＭ−１、ＳＴＭ−４、ＳＴＭ−０またはＳＴＭ−１６のいずれかとなることが多いが、システムの拡張によってはこれに限るものではない。
【００２６】
なお、タイムスロット交換部２−０はタイムスロット交換部２−１と対を成して二重化されており、定常時にはタイムスロット交換部２−０が現用系として動作し、またタイムスロット交換部２−０に障害を生じた際にはタイムスロット交換部２−１を予備系として運用すべく装置内切り替えが実行される。タイムスロット交換部２−１の動作はタイムスロット交換部２−０の動作と同様である。
【００２７】
ここで、高速インタフェース部１−０，１−１、タイムスロット交換部２−０、２−１、低速インタフェース部３−１〜３−ｋは、それぞれサブコントローラ４Ｈ，４Ｔ，４Ｌを介して主制御部５に接続されている。サブコントローラ４Ｈ，４Ｔ，４Ｌは主制御部５により様々な動作制御を与える際の補助となるもので、サブコントローラ４Ｈ，４Ｔ，４Ｌと主制御部５とにより、冗長切り替え制御などの各種制御が階層的に実行される。
【００２８】
主制御部５は、各種制御プログラムなどを記憶した記憶部６と、管理網インタフェース（Ｉ／Ｆ）７とに接続される。主制御部５は、高速インタフェース部１−０，１−１および低速インタフェース部３−１〜３−ｋで終端されたＳＴＭ信号の品質データの集計などを行い、その結果を管理網インタフェース７を介して図示しない監視制御装置などに通知する。
【００２９】
先に延べたサービストラフィックの現用系伝送路ＳＬから予備系伝送路ＰＬへの迂回処理は、主制御部５を中核として高速インタフェース部１−０，１−１、タイムスロット交換部２−０、２−１、低速インタフェース部３−１〜３−ｋ、サブコントローラ４Ｈ，４Ｔ，４Ｌなどとの協調動作により実行される。例えば伝送路や装置内部に障害が発生したり、あるいは監視制御装置から、また使用者の指示により冗長切り替えを実行する場合などに、迂回処理を行う必要が生じる。この種の機能は、ＳＤＨにおいてはいわゆるＡＰＳと称して広く知られているものである。
【００３０】
このほか伝送装置Ａ〜Ｆは、図示しない網内クロック供給装置（ＤＣＳ）からクロックの供給を受け、自装置内部の動作クロックを生成するタイミング生成部８と、電源部９とを備える。
【００３１】
ところで、主制御部５は上記ＡＰＳなどの種々の制御機能に加え、固定信号挿入手段５ａを備える。この固定信号挿入手段５ａは、ＡＰＳによるサービストラフィックの迂回処理に先立ち、サービストラフィックの迂回先となるパスにＰ／Ｔトラフィックが有る場合には当該パスの低次群へのドロップ側にＡＵ−ＡＩＳを挿入するとともに、サービストラフィックの迂回先となるパスにＰ／Ｔトラフィックが無い場合には当該パスの低次群へのドロップ側にＵＮＥＱを挿入するものである。
【００３２】
この固定信号挿入手段５ａは、専用の言語で記述され記憶部６に格納されている既知の動作プログラムに、例えばパッチを当てることなどにより新たに実装される機能オブジェクトである。固定信号挿入手段５ａが実行する処理手順に基づき、主として低速インタフェース部３−１〜３−ｋが低次群側へのドロップ信号のビットパターンを書き換えることで、ＡＵ−ＡＩＳまたはＵＮＥＱの挿入処理が実現される。
【００３３】
図３に、ＳＤＨシステムにおける信号フレームフォーマットを示す。ＳＤＨにおける伝送信号フレームは、ＳＯＨ（Section Over Head）と呼ばれるヘッダ部およびＰａｙｌｏａｄと呼ばれるデータ格納部分からなり、図のＳＴＭ−１においてはＳＯＨが９行９列（９行×９バイト）、Ｐａｙｌｏａｄが９行２９１列（９行×２６１バイト）となっている。ＳＴＭ−１からＳＴＭ−Ｎ（Ｎ＝４，１６，６４など）への多重化の際にはＮに応じてＳＯＨが再構成されるが、Ｐａｙｌｏａｄについてはバイト単位に順次多重化され、いわゆるバイトインタリーブと呼ばれる方法が採られる。
【００３４】
ＳＯＨは、厳密には先頭から４行目のＡＵポインタ（AU PTR）を除く部分を称し、これらは上３行の中継セクションオーバーヘッド（RSOH：Regenerator Section Over Head）と端局セクションセクションオーバーヘッド（MSOH：Multiplex Section Over Head）とに別れる。ＡＵ ＰＴＲは、ＳＯＨにより規定されるフレームと、ペイロードに多重化される情報のフレームとの時間位相関係を、ペイロードのアドレス値として示すものである。
【００３５】
図４に、ＳＤＨにおけるＵＮＥＱの信号パターンを示す。すなわちＵＮＥＱとは、ＳＴＭ−Ｎフレームのうちペイロードのビットをすべて０としたものとして定められる。逆にペイロード部分のビットがすべて０であるＳＴＭフレームを受信した装置は、これをＵＮＥＱとして認識することになる。なおＳＤＨにおいては伝送信号にスクランブルがかけられるため、ＵＮＥＱ伝送の際に０レベルが長期間連続することはない。
【００３６】
図５に、ＳＤＨにおけるＡＵ−ＡＩＳの信号パターンを示す。すなわちＡＵ−ＡＩＳとは、ＳＴＭ−ＮフレームのうちペイロードおよびＡＵ−ＰＴＲのビットをすべて１で記述したものとして定められる。これらの部分がすべて１であれば、受信した装置はこれをＡＵ−ＡＩＳとして認識する。
【００３７】
次に、図６〜図８を参照して上記構成における動作を説明する。図６は、本実施形態におけるノードＡ〜Ｆの主制御部５の処理手順を示すフローチャートである。図７、図８は、図９の定常状態から図１１、図１２と同じ箇所に障害の発生した場合の本実施形態でのレストレーション状態を示す図である。
【００３８】
図６において、主制御部５は現用系高速インタフェース部１−０、予備系高速インタフェース部１−１などからの通知をモニタし、現用系伝送路ＳＬにおける障害の発生を監視する（ステップＳ１）。
【００３９】
ステップＳで障害を検出すると、主制御部５は予備系伝送路ＰＬ側に張られた複数のパスにつき、それぞれ例えばタイムスロットの先頭から順にこの時点でのＰ／Ｔトラフィックの有無を検証する。スパン切り替えに及ぶ障害の際には、障害発生区間の予備系伝送路ＰＬだけにつき検証すれば良いが、リング切り替えに及ぶ障害の際には、全区間の予備系伝送路ＰＬにつきＰ／Ｔトラフィックの有無を確かめる。そして、Ｐ／Ｔトラフィックの有るパスにはその低次群へのドロップ側でＡＵ−ＡＩＳを挿入し、Ｐ／Ｔトラフィックを切断する。一方、Ｐ／Ｔトラフィックの無いパスには、その低次群へのドロップ側でＵＮＥＱを挿入する。以上の処理を、切り替え対象となる予備系伝送路ＰＬの全てのパスにつき実行する（ステップＳ２〜ステップＳ５の処理ループ）。
【００４０】
ステップＳ２〜ステップＳ５のループが完了したのちに、主制御部５はステップＳ６〜ステップＳ８でＫバイトの送受および切り替え制御を行い、すなわち既知の処理手順に基づくＡＰＳを実行してサービストラフィックを予備系伝送路ＰＬに迂回させる。以上のような処理手順を踏むことで、次に図示するような箇所にＡＵ−ＡＩＳおよびＵＮＥＱが挿入される。
【００４１】
図７は、図１１に相当する箇所に障害が発生した場合の本実施形態でのレストレーション状態を示す。この図に示すように、ノードＥ，Ｄの低次群側の信号出口にＵＮＥＱ（太い矢印で示す）が挿入され、サービストラフィックの漏洩が防がれている。
【００４２】
図８は、図１２に相当する箇所に障害が発生した場合の本実施形態でのレストレーション状態を示す。ＡＵ−ＡＩＳの挿入箇所は図１２と同様であるが、図８ではさらにサービストラフィックが繋がれてしまう低次群側の信号出口で全てＵＮＥＱが挿入され、図７と同様にサービストラフィックの漏洩が防がれている。
【００４３】
以上述べたように本実施形態においては、現用系伝送路ＳＬの障害時におけるサービストラフィックの予備系伝送路ＰＬへの迂回処理の際、Ｐ／Ｔトラフィックの存在するパスについてはＡＵ−ＡＩＳの挿入によりＰ／Ｔトラフィックを切断すると共に、Ｐ／Ｔトラフィックの存在しないパスについても、ＵＮＥＱを挿入するようにしている。
【００４４】
このようにしたので、ＡＰＳ切り替えの際にミスコネクトとなるパスの接続パターンが生じても、ノードの低次群側への信号出口においてサービストラフィックに載せられた情報がＡＵ−ＡＩＳまたはＵＮＥＱのビットパターンに書き換えられる。これにより、たとえサービストラフィックの経路が低次群側に達したとしてもその情報はもはや失われ、従ってサービストラフィックの漏洩を防止することが可能となる。
【００４５】
また本発明では、Ｐ／Ｔトラフィックの有るパスにはＡＵ−ＡＩＳを、Ｐ／Ｔトラフィックの無いパスにはＵＮＥＱをそれぞれ挿入するようにしている。このようにしたので、ノードの低次群側に接続される多重化装置などの通信装置は、ノードにおいて生じている事態を区別して把握することが容易になる。
【００４６】
さらに本実施形態では、主として主制御部５から低速インタフェース部３−１〜３−ｋに指示を与えることによりＡＵ−ＡＩＳまたはＵＮＥＱの挿入処理を実現するようにしている。このようにしたので、本発明思想の実現のためにパスの低次群側出口に新たにハードウェアを付加する必要が無く、既存のシステム構成をそのまま流用することが可能である。
【００４７】
なお、本発明は上記実施の形態に限定されるものではない。
例えば上記実施形態ではシステム構成を４ファイバリング型としたが、これに限らず、例えば複数のノードが鎖状に接続されたシステムについても本発明は適用できる。
また上記実施形態ではＳＤＨに即して説明したが、ほぼ同様のシステム構成を持つＳＯＮＥＴに対しても本発明は適用できる。
また上記実施形態ではサービストラフィックの迂回後の処理については延べなかったが、サービストラフィック迂回後に可能ならばＰ／Ｔトラフィックを再接続（リエスタブリッシュ）するシステムに対しても、本発明は適用できる。
その他、本発明の要旨を逸脱しない範囲で種々の変形実施を行うことができる。
【００４８】
【発明の効果】
以上詳述したように本発明は、主トラフィックの予備系伝送路への迂回処理に先立ち、副トラフィックの有るパスについてはＡＵ−ＡＩＳなどの固定信号を挿入し、副トラフィックの無いパスについては、ＵＮＥＱなどの固定信号を挿入するようにしている。また、副トラフィックの有無に応じて挿入する固定信号を互いに異ならせるようにしている。
【００４９】
このようにしたので、冗長切り替えの際にミスコネクトの発生を防止でき、これによりサービストラフィックの漏洩の虞を無くした伝送システムとそのトラフィック制御方式および伝送装置を提供することが可能となる。
【図面の簡単な説明】
【図１】  本発明の実施の形態に係わる伝送システムのシステム構成図。
【図２】  本発明の実施の形態に係わる伝送装置Ａ〜Ｆの主要部構成を示す機能ブロック図。
【図３】  ＳＤＨシステムにおける信号フレームフォーマットを示す図。
【図４】  ＳＤＨにおけるＵＮＥＱの信号パターンを示す図。
【図５】  ＳＤＨにおけるＡＵ−ＡＩＳの信号パターンを示す図。
【図６】  本発明の実施形態におけるノードＡ〜Ｆの主制御部５の処理手順を示すフローチャート。
【図７】  図９からノードＤ〜Ｅ間の現用系伝送路に障害が生じた場合の本発明の実施形態でのレストレーション状態を示す図。
【図８】  図９からノードＤ〜Ｅ間の現用系および予備系伝送路に障害が生じた場合の本発明の実施形態でのレストレーション状態を示す図。
【図９】  ＳＤＨ伝送システムにおける定常状態の一例を示す図。
【図１０】  図９の状態から、ノードＣ〜Ｄの現用系伝送路に障害が生じた場合のレストレーション状態を示す図。
【図１１】  図９からノードＤ〜Ｅ間の現用系伝送路に障害が生じた場合の従来でのレストレーション状態を示す図。
【図１２】  図９からノードＤ〜Ｅ間の現用系および予備系伝送路に障害が生じた場合の従来でのレストレーション状態を示す図。
【符号の説明】
Ａ〜Ｆ…伝送装置
ＯＦ…高速回線
ＳＣ…低速回線
ＳＬ…現用系伝送路
ＰＬ…予備系伝送路
１−０…現用系高速インタフェース部（ＨＳ  Ｉ／Ｆ）
１−１…予備系高速インタフェース部
２−０，２−１…タイムスロット交換部（ＴＳＡ）
３−１〜３−ｋ…低速インタフェース部（ＬＳ  Ｉ／Ｆ）
４Ｈ，４Ｔ，４Ｌ…サブコントローラ
５…主制御部
５ａ…固定信号挿入手段
６…記憶部
７…管理網インタフェース（Ｉ／Ｆ）
８…タイミング生成部
９…電源部
【図１】
0003721039.tif 000002
【図２】
0003721039.tif 000003
【図３】
0003721039.tif 000004
【図４】
0003721039.tif 000005
【図５】
0003721039.tif 000006
【図６】
0003721039.tif 000007
【図７】
0003721039.tif 000008
【図８】
0003721039.tif 000009
【図９】
0003721039.tif 000010
【図１０】
0003721039.tif 000011
【図１１】
0003721039.tif 000012
【図１２】
0003721039.tif 000013